(57)【要約】【課題】  ゴム状弾性部材の経年変化による被把持部の把持能力の低下を抑制し、更なる耐久性の向上を図ることのできる止め具と、その止め具を含む身飾り品を提供する。【解決手段】ピアスキャッチ１は、３個のボール２ａ，２ａ，２ａからなる把持部材２と、ゴム状弾性部材であるホルダ３と、把持部材２及びホルダ３を締め付けるリング５とを備えている。３個のボール２ａ，２ａ，２ａは把持部材２を形成する要素として周方向に１２０°間隔で環状に配置され、ホルダ３により、所定の位置に保持される。ボール２ａは、ホルダ３よりも硬質の金属材料製の球状に形成されている。ホルダ３は、例えば、シリコーンゴムのようなゴム弾性を有する材料で円柱状に形成され、３個のボール２ａが形成する環状の把持部材２を完全に包囲し、両端面３ｃ，３ｃの中心を貫通する貫通孔３ａが、内部に閉じこめた把持部材２が作る環の中央に形成される隙間２ｂを経由して形成される。【選択図】        図１
2005204752.tif 000002
【特許請求の範囲】
【請求項１】
ゴム又は軟質合成樹脂を主体として形成され、弾性変形が可能なゴム状弾性部材又はゴム状弾性部（以下、ゴム状弾性部材という）と、
該ゴム状弾性部材の周囲の少なくとも一部を囲う状態で、前記ゴム状弾性部材の弾性変形を拘束可能な、前記ゴム状弾性部材と同等又はそれ以上の硬さを有する拘束部材又は拘束部（以下、拘束部材という）とを含み、
前記ゴム状弾性部材により身飾り品の一部を挟み込み、前記拘束部材の拘束力により前記ゴム状弾性部材を弾性復帰させて前記身飾り品を拘束・保持することを特徴とする止め具。
【請求項２】
ゴム又は軟質合成樹脂を主体として形成され、弾性変形が可能なゴム状弾性部材又はゴム状弾性部（以下、ゴム状弾性部材という）と、
該ゴム状弾性部材に少なくとも一部が埋設された状態で、そのゴム状弾性部材によって包み込まれるように所定の位置に保持されるとともに、前記ゴム状弾性部材の弾性変形を伴って拡開方向への移動が可能な、前記ゴム状弾性部材より硬い把持部材と、
前記ゴム状弾性部材の周囲の少なくとも一部を囲う状態で、前記把持部材の拡開方向への移動及びその移動に伴う前記ゴム状弾性部材の弾性変形を拘束可能な、前記ゴム状弾性部材と同等又はそれ以上の硬さを有する拘束部材又は拘束部（以下、拘束部材という）とを含み、
前記把持部材により身飾り品の一部を挟み込み、前記拘束部材の拘束力により前記ゴム状弾性部材を弾性復帰させ、前記把持部材の移動を制限して前記身飾り品を拘束・保持することを特徴とする止め具。
【請求項３】
前記把持部材は複数の要素より構成され、
その把持部材の各要素同士の間に直接又は他部材を介して間接的に前記身飾り品の一部を挟み込み、前記拘束部材の拘束力により前記ゴム状弾性部材を弾性復帰させ、前記把持部材の移動を制限して前記身飾り品を拘束・保持している請求項２に記載の止め具。
【請求項４】
前記把持部材の複数の要素は、筒状体が２個、互いに連結して一体となった状態又はそれぞれ独立した状態で並列して構成され、
その把持部材の筒状体の間に形成される隙間で前記身飾り品の一部を挟み込み、前記拘束部材の拘束力により前記ゴム状弾性部材を弾性復帰させ、前記把持部材の移動を制限して前記身飾り品を拘束・保持している請求項３に記載の止め具。
【請求項５】
前記身飾り品の一部が軸状部材であり、
前記拘束部材は、その軸状部材の周方向に沿って前記ゴム状弾性部材を囲うように覆っている請求項１ないし４のいずれか１項に記載の止め具。
【請求項６】
前記拘束部材は、前記ゴム状弾性部材が弾性変形可能な方向をすべて拘束するように、そのゴム状弾性部材を環状に覆っている請求項５に記載の止め具。
【請求項７】
前記ゴム状弾性部材は、前記軸状部材の挿通を許容する貫通孔又は有底孔を有している請求項５又は６に記載の止め具。
【請求項８】
請求項１ないし７のいずれか１項に記載の止め具と、
本体と、
その本体側において前記止め具に把持される被把持部と、
を含むことを特徴とする身飾り品。
【請求項９】
前記止め具の拘束部材には、前記本体とは別の補助装飾部材及び／又は該止め具とは別の補助固定部材を取り付け可能である請求項８に記載の身飾り品。
【請求項１０】
前記止め具の拘束部材は、前記本体とは別の補助装飾部材及び／又は該止め具とは別の補助固定部材を取り付けるための取付部を有している請求項８又は９に記載の身飾り品。
【発明の詳細な説明】
【技術分野】
【０００１】
本発明は、身飾り品に使用される止め具及びこれを含む身飾り品に関する。
【背景技術】
【０００２】
身飾り品に用いられる止め具、例えばピアスキャッチ（ピアス止め具）では、ゴム弾性を有するシリコーンゴムを円柱状、球状、半球状等に形成し、その中心軸に沿って貫通孔を設けたものがある。このようなピアスキャッチは、ピアスの軸状のピンを耳たぶに挿通させた後に、ピアスキャッチの貫通孔に挿通してピアスの抜け止めとして使用する。ところが、シリコーンゴムが軟質であるために、止め具の把持力が短期間のうちに失われ、紛失したり正常使用できなくなるといった不具合が発生していた。そこで、本発明者は、ピアスのピンを把持する球状や筒状の把持部材をゴム状弾性部材で覆ったピアスキャッチ等の止め具を提案した（特許文献１参照）。
【０００３】
【特許文献１】特開２０００−１２５９１１号公報
【０００４】
特許文献１に示す止め具によれば、ピン（被把持部）の把持能力を持続させることができ、耐久性の向上において一定の効果を収めることができた。しかし、ゴム状弾性部材は経年変化によって伸びやすく、ピンの把持能力が低下して脱落したりするおそれがある。このような経年変化は着脱を繰り返すときは勿論、ピンを止め具の貫通孔に挿通したまま保管しているときにおいても発生する可能性がある。
【発明の開示】
【発明が解決しようとする課題】
【０００５】
本発明の課題は、ゴム状弾性部材の経年変化による被把持部の把持能力の低下を抑制し、更なる耐久性の向上を図ることのできる止め具と、その止め具を含む身飾り品を提供することにある。
【課題を解決するための手段及び発明の効果】
【０００６】
上記課題を解決するために、本発明の止め具は、
ゴム又は軟質合成樹脂を主体として形成され、弾性変形が可能なゴム状弾性部材又はゴム状弾性部（以下、ゴム状弾性部材という）と、
該ゴム状弾性部材の周囲の少なくとも一部を囲う状態で、前記ゴム状弾性部材の弾性変形を拘束可能な、前記ゴム状弾性部材と同等又はそれ以上の硬さを有する拘束部材又は拘束部（以下、拘束部材という）とを含み、
前記ゴム状弾性部材により身飾り品の一部を挟み込み、前記拘束部材の拘束力により前記ゴム状弾性部材を弾性復帰させて前記身飾り品を拘束・保持することを特徴とする。
【０００７】
このような止め具によれば、ゴム状弾性部材により身飾り品の一部（被把持部）を挟み込むとともに、拘束部材の拘束力によりゴム状弾性部材を弾性復帰させて身飾り品を拘束・保持するので、拘束部材によってゴム状弾性部材の経年変化による被把持部の把持能力の低下を抑制し、耐久性の向上を図ることができる。なお、ゴム状弾性部材と拘束部材とは一体化して構成することができる。
【０００８】
また、上記課題を解決するために、本発明の止め具は、
ゴム又は軟質合成樹脂を主体として形成され、弾性変形が可能なゴム状弾性部材又はゴム状弾性部（以下、ゴム状弾性部材という）と、
該ゴム状弾性部材に少なくとも一部が埋設された状態で、そのゴム状弾性部材によって包み込まれるように所定の位置に保持されるとともに、前記ゴム状弾性部材の弾性変形を伴って拡開方向への移動が可能な、前記ゴム状弾性部材より硬い把持部材と、
前記ゴム状弾性部材の周囲の少なくとも一部を囲う状態で、前記把持部材の拡開方向への移動及びその移動に伴う前記ゴム状弾性部材の弾性変形を拘束可能な、前記ゴム状弾性部材と同等又はそれ以上の硬さを有する拘束部材又は拘束部（以下、拘束部材という）とを含み、
前記把持部材により身飾り品の一部を挟み込み、前記拘束部材の拘束力により前記ゴム状弾性部材を弾性復帰させ、前記把持部材の移動を制限して前記身飾り品を拘束・保持することを特徴とする。
【０００９】
このような止め具によれば、把持部材により身飾り品の一部（被把持部）を挟み込むとともに、拘束部材の拘束力により前記ゴム状弾性部材を弾性復帰させ、把持部材の移動を制限して身飾り品を拘束・保持するので、拘束部材によってゴム状弾性部材の経年変化による被把持部の把持能力の低下を抑制し、耐久性の向上を図ることができる。
【００１０】
これらの止め具において、身飾り品の一部を軸状部材とし、拘束部材が軸状部材の周方向に沿ってゴム状弾性部材を囲うように覆っている。したがって、ピン等の軸状部材は、ゴム状弾性部材を介して（又はゴム状弾性部材と把持部材とを介して）拘束部材によって間接的に締め付けられるので、長期にわたり把持能力が維持され、止め具の耐久性が向上する。
【００１１】
このとき、拘束部材がゴム状弾性部材を環状に覆っていれば、ゴム状弾性部材が弾性変形可能な方向をすべて拘束するようになるので、軸状部材を周方向に均等に把持できるようになる。したがって、ゴム状弾性部材が、軸状部材の挿通を許容する貫通孔又は有底孔を有している場合には、これらの孔の磨耗を均一化することができる。
【００１２】
上記したように、拘束部材は、ゴム状弾性部材と同等又はそれ以上の硬さを有する材料、例えば金属（例えば１４金）、樹脂、硬質ゴム等により形成される。そして、拘束部材は、ゴム状弾性部材を介して（又はゴム状弾性部材と把持部材とを介して）身飾り品の一部（被把持部；軸状部材等）を挟持する（締め付ける）機能を有する。したがって、環状の拘束部材の最小内径をゴム状弾性部材の最大外径よりも小さく形成すれば、拘束部材がゴム状弾性部材から外れるのを防止したり、拘束部材をゴム状弾性部材に締まり嵌めのように固く締め付け保持させたりすることができる。
【００１３】
また、把持部材を複数の要素より構成すれば、把持部材の各要素同士の間に直接又は他部材を介して間接的に身飾り品の一部を挟み込み、拘束部材の拘束力によりゴム状弾性部材を弾性復帰させ、把持部材の移動を制限して身飾り品を拘束・保持することができるようになる。その際、把持部材の複数の要素を、筒状体が２個、互いに連結して一体となった状態又はそれぞれ独立した状態で並列して構成するときには、把持部材の筒状体の間に形成される隙間で身飾り品の一部を挟み込み、拘束部材の拘束力によりゴム状弾性部材を弾性復帰させ、把持部材の移動を制限して身飾り品を拘束・保持することができる。
【００１４】
このように、把持部材は、ゴム状弾性部材より固い材料（例えば金属）により、各要素同士の間に身飾り品の一部を挟み込んで把持する部材であり、例えば、球体、球体の一部に平面を設けた変形球体及び円柱その他種々の形態の要素を、互いに近接するように集合させて形成される。
【００１５】
また、ゴム状弾性部材は、身飾り品の一部を拘束するための弾性力を直接に又は把持部材を介して間接的に付与する部材であり、例えば、身飾り品の一部の挿入を許容する貫通孔又は有底孔を有し、シリコーンゴム等のゴム弾性を有する材料により形成される。そして、例えば、ピアスのピン（軸）が把持部材の位置をずらしながら（拡開しながら）挿入されるときには、把持部材を所定の位置に戻そうとする向きに弾性復帰力を加え、把持部材を介して間接的にピンを把持する。このとき、ピンを挿入するための孔の端部に導入部としての拡径部を設けてもよく、さらに、その孔を有底孔に形成すれば、ピンの先端がゴム状弾性部材に保護され、ピンの先端が突出しないため見栄えがよくまた身体に触れることもない。また、この孔が貫通孔の場合、止め具の表裏の区別がなくなり、装着時に表裏の確認が不要となるため、容易に使用できるようになるばかりでなく、止め具を大きめに形成して、ネックレス等の止め具として鎖を挿通させて使用することも可能になる。さらに、ゴム状弾性部材を透視性のある例えば透明又は半透明の材料で形成し、その内部に少なくとも一部を埋設した把持部材を外部から積極的に透視できるようにし、それにより装飾性を高めることもできる。
【００１６】
そして、上記課題を解決するために、本発明の止め具を含む身飾り品は、
上記の通り構成された止め具と、身飾りの本体と、本体側において止め具に把持される被把持部と、を含むことを特徴とする。
【００１７】
既に述べたように、止め具の耐久性が向上することによって止め具の紛失防止が図れ、身飾り品全体の耐久性が向上してさらに高品質の身飾り品を提供することができる。
【００１８】
このような身飾り品において、止め具の拘束部材には、本体とは別の補助装飾部材及び／又は止め具とは別の補助固定部材を取り付けることができる。止め具の拘束部材に補助装飾部材を取り付ける場合には、本体の装飾効果（例えばフロントピアス態様）に加えて止め具にも装飾効果（例えばバックピアス態様）を付加することができる。さらに、止め具の拘束部材に補助固定部材を取り付ける場合には、補助装飾部材として高価な宝石等を取り付けたときの紛失防止を図ることができる。止め具の拘束部材への補助装飾部材及び／又は補助固定部材の取り付け方法は、ろう付け、接着、凹部への嵌め込み等適宜の手段を採用できる。具体的には、止め具の拘束部材は、本体とは別の補助装飾部材及び／又は止め具とは別の補助固定部材を取り付けるための取付部（フック等）を有することができる。このように、止め具の拘束部材にフック等の取付部を有していれば、これらの補助装飾部材や補助固定部材を容易に取り付けることができる。なお、取付部は拘束部材と同じ材料で構成し、止め具を組み立てた後、最外部に位置する拘束部材にろう付け等によって固定することができる。
【００１９】
ここで、身飾り品には、ピアス、イアリング、ブローチ、ネックレス、ブレスレット、アンクレット等が含まれる。本発明での身飾り品における本体と止め具との関係は次のように表わされる。
（１）ピアス、ブローチ等では、ピアス止め具（ピアスキャッチ）、ブロ−チ止め具は、本体の軸状部材を耳たぶや布地に通して裏で止めるための止め具本来の機能を有する場合と、補助装飾部材や補助固定部材を本体に取り付ける機能を有する場合とが含まれる。
（２）イヤリング等では、イヤリング止め具は、イヤリング本体を耳に保持するための機能ではなく、補助装飾部材や補助固定部材を本体に取り付ける機能を有する場合に用いられる。
（３）ネックレス、ブレスレット、アンクレット等の止め具では、紐状の鎖を半分に折り、その両端を挿通させて環を形成し、本体の鎖に対する位置をスライド移動させて、環の大きさを調節する機能を有する。
【発明を実施するための最良の形態】
【００２０】
（実施例１）
以下、本発明の実施の形態を、図面に示すいくつかの実施例を参照しつつ説明する。図１は、本発明に係る止め具としてのピアスキャッチ及び身飾り品としてのピアスの第一実施例を示す。ピアスキャッチ１（止め具）は、３個（複数）のボール２ａ，２ａ，２ａからなる把持部材２と、ゴム状弾性部材であるボールホルダ（ホルダ）３と、把持部材２及びホルダ３を締め付けるリング５（拘束部材）とを備えている。
【００２１】
３個のボール２ａ，２ａ，２ａは把持部材２を形成する要素として周方向に１２０°間隔で環状に配置され、ホルダ３により、所定の位置に保持される。ボール２ａは、ホルダ３よりも硬質の金属材料（例えばステンレススチール）製の球状に形成されている。ホルダ３は、例えば、シリコーンゴムのようなゴム弾性を有する材料で円柱状に形成され、３個のボール２ａが形成する環状の把持部材２を完全に包囲し、両端面３ｃ，３ｃの中心を貫通する貫通孔３ａが、内部に閉じこめた把持部材２が作る環の中央に形成される隙間２ｂを経由して形成される。なお、貫通孔３ａの端部付近に、それぞれ端面３ｃに向かってテーパー状に拡径する導入部３ｂを形成することで、ピアスやブローチのピンといったような身飾り品に含まれる軸状の部材の挿入を誘導するようにしている。リング５は、ホルダ３よりも硬質の金属材料（例えば１４金）製で円環状に形成され、把持部材２（ボール２ａ，２ａ，２ａ）の拡開方向（半径方向）への移動とその移動に伴うホルダ３の弾性変形を外側から拘束している。このように、リング５は、ホルダ３の弾性変形可能な半径方向の周囲を外側から環状に覆っている。
【００２２】
ピアス１９（本体）には、軸状のピン４（軸状部材；被把持部）の基端部に一体となるように装飾部１９ａが形成され、ピアスキャッチ１は、ピン４の先端側から挿入され、先端付近に形成される周溝４ａに嵌まり込んだ状態でピン４を把持する。このとき、リング５の拘束力によりホルダ３が弾性復帰し、把持部材２の移動が制限されてピアス１９のピン４が拘束・保持され、ボール２ａ，２ａ，２ａ間にピン４が挟み込まれる。図１（ｂ）に示すように、リング５の最小内径がホルダ３の最大外径よりも小さく形成され、ピン４の挿通方向において、リング５の幅はホルダ３の幅よりも小さく形成されているので、リング５はホルダ３の周面に形成された嵌合溝３ｅから外れにくく、ホルダ３と把持部材２とを外側から強く締め付けている。
【００２３】
なお、ピアスキャッチ１において、把持部材２を覆う状態で拘束するホルダ３が、適当な色に彩色されていてもよいが、透明又は半透明であれば、内部に埋め込まれた把持部材２を透視できるので、把持部材２の要素２ａの形状及びその集合形態のデザイン的な美しさによって、止め具１に装飾的な価値を付加することもできる。
【００２４】
ここで、図２により、ピアスキャッチ１の作用（機能）を説明する。図２（ａ）及び（ｂ）に示すように、ピアス１９の軸状のピン４の先端部が、導入部３ｂを経て貫通孔３ａに挿入され、隙間２ｂを拡げるためにボール２ａを拡開方向へ移動させながら貫通孔３ａ内を直進するのに伴い、ホルダ３も押し拡げられて側面３ｄが外側へ張り出そうとする。つまり、ボール２ａが半径方向外側（図２（ｂ）矢印）に拡開移動し、ホルダ３は弾性変形する。
【００２５】
このとき、図２（ｃ）に示すように、リング５の拘束力によりホルダ３が弾性復帰し、把持部材２の移動が制限されて、各ボール２ａを介してピン４を包囲する状態で把持する（図２（ｃ）矢印）。ピン４には、その把持される部分に小径部（周溝）４ａが形成され、この各ボール２ａがこの周溝４ａに嵌り込んだ状態でピン４を把持する。つまり、ピン４の先端が３個のボール２ａを拡開方向に押し退けて進入した後、その周溝４ａが３個のボール２ａの把持部分に来ると、３個のボール２ａが縮径方向に若干戻って周溝４ａに着座し、これによってピン４が位置決めされるとともに把持される。ここで、周溝４ａの両側の段部４ｂ，４ｃがピン４の位置決めの機能を果たすが、特に４ｂは、ピン４の３個のボール２ａからの抜け止め作用をなす。
【００２６】
また、ホルダ３に形成される貫通孔３ａの両端に設ける導入部３ｂは、テーパー状に拡径して形成する以外に、アール状に形成してもよいし、貫通孔３ａの片方あるいは両方の端部を拡径せずに形成することもできる。なお、このような貫通孔３ａの端部の形状は、これから説明する全ての実施例にあてはまることである。ただし、図２に示すように、ピアスの止め具として使用されるピアスキャッチ１の場合には、表裏の区別なく両面どちら側からでも容易にピン４を挿入することができるように、ピン４を誘導するための導入部３ｂを貫通孔３ａの両端に設けることが望ましい。
【００２７】
図３は、このようなピアスキャッチ１の製造方法を示す。図３に示すように、金型内に３個のボール２ａ，２ａ，２ａ（把持部材２）を入れてシリコーンゴムを射出してインサート成形し、軸線方向の貫通孔３ａと周面の嵌合溝３ｅとを有するホルダ３を形成する。それとは別に、円環状のリング５を切断形成する。次に、ホルダ３の嵌合溝３ｅにリング５の内周面を嵌め入れると、ピアスキャッチ１が完成する。
【００２８】
図１７に図３の変形例を示す。図１７（ａ）に示すように、金型内に３個のボール２ａ，２ａ，２ａ（把持部材２）を入れてシリコーンゴムを射出してインサート成形し、軸線方向の貫通孔３ａを有するとともに、中央部が厚く周辺部が薄いレンズ状を呈するホルダ３を形成する。それとは別に、図１７（ｂ）に示すような円環状のリング５を切断等により形成する。このとき、リング５の断面は外側に向かって凸の山型形状（への字形状）に形成され、リング５の最小内径はホルダ３の最大外径よりも小さく形成される（図１７（ｄ）参照）。次に、図１７（ｃ）に示すように、リング５の山型内周面でホルダ３の外面が受け止められるようにホルダ３を嵌入して、ピアスキャッチ１を完成させる。
【００２９】
（実施例２）
図４にピアスキャッチの第二実施例を示す。図４では、把持部材２を形成する要素が、周方向に１８０°間隔で対向させた２個のボール２ａ，２ａで構成されている。
【００３０】
（実施例３）
図５にピアスキャッチの第三実施例を示す。図５では、把持部材２を形成する要素が、互いに連結して一体となった２個の筒状体２ａ’，２ａ’で構成されている。なお、ホルダ３のインサート成形の際、シリコーンゴムは筒状体２ａ’，２ａ’の内部にも充填される。また、ホルダ３の上端面３ｃ’はドーム状に上方に凸形状に形成されている。実施例２（図４）及び実施例３（図５）において、実施例１（図１〜図３）と共通する機能を有する部分には同一符号を付して説明を省略した。
【００３１】
（実施例４）
図６にピアスキャッチの第四実施例を示す。図６のピアスキャッチ１１（止め具）は、ゴム状弾性部材であるボールホルダ（ホルダ）１３と、ホルダ３を締め付けるリング１５（拘束部材）とを備え、第一実施例（図１）の把持部材２に示す部材を備えていない。
【００３２】
ホルダ１３は、例えば、シリコーンゴムのようなゴム弾性を有する材料で円柱状に形成され、両端面１３ｃ，１３ｃの中心を貫通する貫通孔１３ａが形成されている。なお、貫通孔１３ａの端部付近に、それぞれ端面１３ｃに向かってテーパー状に拡径する導入部１３ｂを形成することで、ピアスやブローチのピンといったような身飾り品に含まれる軸状の部材の挿入を誘導するようにしている。リング１５は、ホルダ１３よりも硬質の金属材料（例えば１４金）製で円環状に形成され、ホルダ１３の弾性変形を外側から拘束している。このように、リング１５は、ホルダ１３の弾性変形可能な半径方向の周囲を外側から環状に覆っている。したがって、リング１５の拘束力によりホルダ１３が弾性復帰し、ピアス１９のピン４（図１参照）が拘束・保持され、ホルダ１３にピン４が挟み込まれる。
【００３３】
（実施例５）
図７にピアスキャッチの第五実施例を示す。図６では、ホルダ１３の断面形状が２つの曲面１３ｆ，１３ｆからなる楕円状に形成されている。また、リング１５の断面形状が外側に向かって凸の山型形状（への字形状）に形成されている。
【００３４】
（実施例６）
図８にピアスキャッチの第六実施例を示す。図８では、ホルダ１３が半球状（断面形状が半円状）に形成されている。また、リング１５は、ホルダ１３の半球面１３ｈの全面及び端面１３ｇの周縁部全周を外側から環状に覆っている。したがって、リング１５はホルダ１３の弾性変形可能な方向をすべて拘束している。
【００３５】
（実施例７）
図９にピアスキャッチの第七実施例を示す。図９では、リング１５はホルダ１３の半球面１３ｈの一部の面及び端面１３ｇの周縁部の一部を外側から環状に覆っている。実施例５（図７）、実施例６（図８）及び実施例７（図９）において、実施例４（図６）と共通する機能を有する部分には同一符号を付して説明を省略した。
【００３６】
図１０に本発明の身飾り品としてのピアスの第一使用例を示す。図１０のピアスキャッチ１（止め具）のリング５（拘束部材）の外周面には、ピアス１９（本体）の装飾部１９ａとは別の球状の装飾体７（補助装飾部材）とピアスキャッチ１とは別のＣ字状の引っ掛け部材８（補助固定部材）とを取り付けるための環状のフック６（取付部）が形成されている。このフック６は、図３に仮想線で示すように、リング５と同じ材料（例えば１４金）で構成され、ピアスキャッチ１を組み立てた後、最外部に位置するリング５にろう付け等によって固定される。
【００３７】
図１０（ｂ）に示すように、ピアス１９のピン４を耳たぶＥ２の孔に一方側から挿入し、他方側でピアスキャッチ１の貫通孔３ａに挿入して、筒状体２ａ’，２ａ’間にピン４が挟み込まれて固定される。このとき、リング５の拘束力によりホルダ３が弾性復帰し、把持部材２の移動が制限されるので、ピアス１９は外れにくくなる。また、引っ掛け部材８を外耳Ｅ１に挟み込んで固定する。このように、ピアスキャッチ１と引っ掛け部材８とにより、ピアス１９は耳Ｅにしっかり固定され、脱落・紛失のおそれが小さくなる。さらに、ピアス１９の装飾部１９ａ（フロントピアス）と装飾体７（バックピアス）とにより装飾効果が増大する。なお、装飾体７及び引っ掛け部材８の材質は金属、樹脂、ゴム等のいずれでもよい。
【００３８】
図１１に図１０で用いることのできるピアスキャッチの変形例を示す。図１１（ａ）では、フック６にピアス１９とは別のクロス状の装飾体７’（補助装飾部材）のみを取り付けてある。図１１（ｂ）では、フック６にピアス１９とは別の鉤状の引っ掛け部材８’（補助装飾部材）のみを取り付けてある。
【００３９】
図１２にピアスの第二使用例を示す。図１２のピアスキャッチ１１（止め具）のリング１５（拘束部材）の外周面には、ピアス１９（本体）の装飾部１９ａとは別の球状の装飾体７（補助装飾部材）とピアスキャッチ１１とは別の鉤状の引っ掛け部材８’（補助固定部材）とを取り付けるための環状のフック６（取付部）が形成されている。また、軸線方向の貫通孔１０１ａを有するピアスキャッチ１１とは別の固定具１０１（止め具）が設けられている。ピアス１９のピン４は、固定具１０１とピアスキャッチ１１とに固定・保持される。
【００４０】
図１８は図１２の要部であるフック６の取付構造を示している。外側に向かって凸の山型形状（への字形状）断面（図１８（ｂ）参照）を有するリング５の周面には、周方向に沿って貫通長孔５ａが形成されている（図１８（ａ））。一方、フック６には、貫通長孔５ａの周方向長さよりも長いフランジ部６ａと、取り付け用のリング部６ｂとが形成されている。リング５の内周面側からフック６のリング部６ｂを貫通長孔５ａに挿入すると（図１８（ｂ））、フック６のフランジ部６ａがリング５の内周面で受け止め支持される（図１８（ｃ））。図１７に示すようにリング５の内側にホルダ３を嵌入すると、フック６のフランジ部６ａはリング５の内面とホルダ３の外面で挟圧保持される。
【００４１】
図１２（ｂ）に示すように、ピアス１９のピン４を耳たぶＥ２の孔に一方側から挿入し、他方側で固定具１０１の貫通孔１０１ａ、次いでピアスキャッチ１１の貫通孔１３ａに挿入して、ホルダ１３にピン４が挟み込まれて固定される。このとき、リング１５の拘束力によりホルダ１３が弾性復帰するので、ピアス１９は外れにくくなる。また、引っ掛け部材８’を外耳Ｅ１に挟み込んで固定する。このように、固定具１０１とピアスキャッチ１１と引っ掛け部材８’とにより、ピアス１９は耳Ｅにしっかり固定され、脱落・紛失のおそれが小さくなる。この場合、ピアスキャッチ１１の主たる機能は、装飾体７と引っ掛け部材８’との保持・固定となる。さらに、ピアス１９の装飾部１９ａ（フロントピアス）と装飾体７（バックピアス）とにより装飾効果が増大する。なお、装飾体７及び引っ掛け部材８’の材質は金属、樹脂、ゴム等のいずれでもよい。
【００４２】
図１３に図１２に用いることのできるピアスキャッチの変形例を示す。図１３（ａ）では、フック６にピアス１９とは別の球状の装飾体７（補助装飾部材）のみを取り付けてある。図１３（ｂ）では、フック６にピアス１９とは別のＣ字状の引っ掛け部材８（補助装飾部材）のみを取り付けてある。
【００４３】
図１６にピアスの第三使用例を示す。図１６のピアスキャッチ１（止め具）のリング５（拘束部材）の外周面には、ピアス１９（本体）の装飾部１９ａとは別の球状の装飾体７（補助装飾部材）とピアスキャッチ１とは別のＣ字状の引っ掛け部材８（補助固定部材）とが、ろう付け６０等により直接固定されている。
【００４４】
図１４に本発明の身飾り品としてのイヤリングの第一使用例を示す。図１４のピアスキャッチ１（止め具）のリング５（拘束部材）の外周面には、イヤリング１１９（本体）の装飾部１１９ａとは別の球状の装飾体７（補助装飾部材）とピアスキャッチ１とは別のＣ字状の引っ掛け部材８（補助固定部材）とを取り付けるためのＵ字状のフック６（取付部）が形成されている。なお、イヤリング１１９は、ねじ止め部材１１９ｂによって耳たぶＥ２に挟持される。
【００４５】
図１４（ｂ）に示すように、イヤリング１１９のピン４をピアスキャッチ１の貫通孔３ａに挿入して、筒状体２ａ’，２ａ’間にピン４が挟み込まれて固定される。このとき、リング５の拘束力によりホルダ３が弾性復帰し、把持部材２の移動が制限されるので、イヤリング１１９は外れにくくなる。また、引っ掛け部材８を外耳Ｅ１に挟み込んで固定する。このように、ピアスキャッチ１と引っ掛け部材８とにより、イヤリング１１９は耳Ｅにしっかり固定され、脱落・紛失のおそれが小さくなる。さらに、イヤリング１１９の装飾部１１９ａ（フロントピアス）と装飾体７（バックピアス）とにより装飾効果が増大する。なお、装飾体７及び引っ掛け部材８の材質は金属、樹脂、ゴム等のいずれでもよく、ピン４の取付位置は図示以外でもよい。
【００４６】
図１５にイヤリングの第二使用例を示す。図１５のピアスキャッチ１１（止め具）のリング１５（拘束部材）の外周面には、イヤリング１１９（本体）の装飾部１１９ａとは別の球状の装飾体７（補助装飾部材）とピアスキャッチ１１とは別の鉤状の引っ掛け部材８’（補助固定部材）とを取り付けるためのＵ字状のフック６（取付部）が形成されている。なお、イヤリング１１９は、ばね部材１１９ｃによって耳たぶＥ２に挟持される。
【００４７】
図１５（ｂ）に示すように、イヤリング１１９のピン４をピアスキャッチ１１の貫通孔１３ａに挿入して、ホルダ１３にピン４が挟み込まれて固定される。このとき、リング５の拘束力によりホルダ３が弾性復帰するので、イヤリング１１９は外れにくくなる。また、引っ掛け部材８’を外耳Ｅ１に挟み込んで固定する。このように、ピアスキャッチ１１と引っ掛け部材８’とにより、イヤリング１１９は耳Ｅにしっかり固定され、脱落・紛失のおそれが小さくなる。さらに、イヤリング１１９の装飾部１１９ａ（フロントピアス）と装飾体７（バックピアス）とにより装飾効果が増大する。なお、装飾体７及び引っ掛け部材８’の材質は金属、樹脂、ゴム等のいずれでもよよく、ピン４の取付位置は図示以外でもよい。
【００４８】
以上の記載では、ピアス又はイヤリングの実施例についてのみ説明したが、本発明はブローチ、ネックレス、ブレスレット、アンクレット等についても適用可能である。
【図面の簡単な説明】
【００４９】
【図１】本発明に係る止め具としてのピアスキャッチ及び身飾り品としてのピアスの第一実施例を示す斜視図及び正面断面図。
【図２】図１のピアスキャッチの作用を示す正面断面図。
【図３】図１のピアスキャッチの製造方法を示す説明図。
【図４】ピアスキャッチの第二実施例を示す斜視図及び正面断面図。
【図５】ピアスキャッチの第三実施例を示す斜視図及び正面断面図。
【図６】ピアスキャッチの第四実施例を示す斜視図及び正面断面図。
【図７】ピアスキャッチの第五実施例を示す斜視図及び正面断面図。
【図８】ピアスキャッチの第六実施例を示す斜視図及び正面断面図。
【図９】ピアスキャッチの第七実施例を示す斜視図及び正面断面図。
【図１０】本発明の身飾り品としてのピアスの第一使用例を示す説明図。
【図１１】図１０に用いることのできるピアスキャッチの変形例を示す説明図。
【図１２】ピアスの第二使用例を示す説明図。
【図１３】図１２に用いることのできるピアスキャッチの変形例を示す説明図。
【図１４】本発明の身飾り品としてのイヤリングの第一使用例を示す説明図。
【図１５】イヤリングの第二使用例を示す説明図。
【図１６】ピアスの第三使用例を示す説明図。
【図１７】図３の変形例を示す斜視図、正面図及び正面断面図。
【図１８】図１２の要部を示す説明図。
【符号の説明】
【００５０】
１        ピアスキャッチ（止め具）
２        把持部材
２ａ      ボール（要素）
３        ホルダ（ゴム状弾性部材）
３ａ      孔
３ｂ      導入部
４        ピン（ピアスピン；軸状部材；被把持部）
４ａ      縮径部（周溝）
５        リング（拘束部材）
１９      ピアス（身飾り品；本体）
１１９    イヤリング（身飾り品；本体）
【図１】
2005204752.tif 000003
【図２】
2005204752.tif 000004
【図３】
2005204752.tif 000005
【図４】
2005204752.tif 000006
【図５】
2005204752.tif 000007
【図６】
2005204752.tif 000008
【図７】
2005204752.tif 000009
【図８】
2005204752.tif 000010
【図９】
2005204752.tif 000011
【図１０】
2005204752.tif 000012
【図１１】
2005204752.tif 000013
【図１２】
2005204752.tif 000014
【図１３】
2005204752.tif 000015
【図１４】
2005204752.tif 000016
【図１５】
2005204752.tif 000017
【図１６】
2005204752.tif 000018
【図１７】
2005204752.tif 000019
【図１８】
2005204752.tif 000020